(57)【特許請求の範囲】
【請求項１】
ケース外壁部に複数の冷却ファンを複数段に積層して装着し、該冷却ファンによりケース内の発熱部品を冷却する電子機器の冷却構造であって、
前記ケース外壁部に固定される最下段の冷却ファンより上段に位置する冷却ファンの吸気面はバイパス風路を経由してケース内に直接連通する電子機器の冷却構造。
【請求項２】
前記上下段の冷却ファンは積層方向に適宜の間隔が空けられて配置される請求項１記載の電子機器の冷却構造。
【発明の詳細な説明】
【０００１】
【発明の属する技術分野】
本発明は電子機器の冷却構造に関するものである。
【０００２】
【従来の技術】
例えばストレージシステムに使用される記憶ユニット等の電子機器は、収容筐体前面部に位置する吸気側と背面部の排気側に複数の冷却ファンを配置して形成される。高信頼性が要求されるこの種電子機器においては、冷却ファンの故障が生じても装置全体の運用が可能に構成することが求められ、冷却ファンは冷却性能に冗長性を持たせるために、吸排気側に通常複数個が装着される。
【０００３】
【発明が解決しようとする課題】
しかし、上述した従来例において、冷却ファンを並列に複数配置するには、大きなスペースが必要とするために、装置全体が大型化してしまうという欠点がある。
【０００４】
本発明は、以上の欠点を解消すべくなされたものであって、搭載スペースを小さくでき、かつ、運転時の騒音等の発生も少ない電子機器の冷却構造の提供を目的とする。
【０００５】
【課題を解決するための手段】
本発明によれば上記目的は、
ケース２外壁部に複数の冷却ファン１を複数段に積層して装着し、該冷却ファン１によりケース２内の発熱部品を冷却する電子機器の冷却構造であって、
前記ケース２外壁部に固定される最下段の冷却ファン１より上段に位置する冷却ファン１の吸気面はバイパス風路３を経由してケース２内に直接連通する電子機器の冷却構造を提供することにより達成される。
【０００６】
複数の冷却ファン１を積層した場合、一方の冷却ファン１が抵抗体として作用するために騒音が高くなる。最下段の冷却ファン１（本明細書において電子機器の筐体内方側を「下段」、筐体外方側を「上段」という）より上段に位置する冷却ファン１をバイパス風路３によりケース２内に連通させることにより、上段側の通風用風洞がバイパス風路３により確保されるために、下段側の冷却ファン１が抵抗体として作用することがなく、全体の騒音が低下する。
【０００７】
また、冷却ファン１を冷却風の送風方向に積層させて搭載することにより、冷却ファン１の設置面積が少なくなるため、装置の小型化が可能になる。２個の冷却ファン１を積層することにより、冷却風の干渉が生じ、騒音が高くなるが、冷却ファン１を積層方向に適宜間隔を隔てて配置することにより、騒音を低くすることができる。冷却ファン１間の間隔は、冷却ファン１の仕様に応じて適宜試験等により決定可能であるが、ファンケース１ａ間間隔で１０ｍｍ程度、回転翼１ｂの回転面間間隔で２０ｍｍ程度に設定するのが望ましい。
【０００９】
さらに、前記下段の冷却ファン１の上端には、該下段の冷却ファン１からの排気流を上段の冷却ファン１の吸気口に導くガイド４が設けられる電子機器の冷却構造を構成することもできる。
【００１０】
【発明の実施の形態】
図２にストレージシステムに使用される記憶ユニットに適用された本発明の実施の形態を示す。この実施の形態において、記憶ユニットは、ケース２内に複数の記憶装置５を収容して構成される。
【００１１】
ケース２の前面壁２ａ、および背面壁２ｂにはケース２内に強制吸引、排気するための冷却ファン１が固定される。この実施の形態において、冷却風は図２（ａ）において矢印Ａで示すように、前面壁２ａ側から吸気されて背面壁２ｂから排気され、吸排気側には、１個が故障してもケース２内への冷却風の送風が可能なように、２個を１組とする複数組（図示の例では２組）の冷却ファン１が各々配置される。また、図示の例では、前面壁２ａに配置される複数組の冷却ファン１は、前面壁２ａに並設されており、排気側（背面壁２ｂ側）の冷却ファン１は、２個のファンを積層して配置される。冷却ファン１には軸流ファンが使用される。また、背面壁２ｂにはダクト２ｃが形成され、排気側の冷却ファン１はダクト２ｃの外壁に固定される。これら吸排気側の冷却ファン１には安全のためのフィンガーガード１ｃが固定される。
【００１２】
図１に排気側の冷却ファン１の取付構造を示す。ケース２の背面壁２ｂには、図１（ｂ）に示すように、排気口６が開設され、さらに、その外周を囲むように上段の冷却ファン１用の通風開口７が開設される。また、上記排気口６の周囲には、ファン取り付け孔８が設けられ、下段の冷却ファン１のファンケース１ａがボルト等の締結手段により固定される。また、下段のファンケース１ａの吸排気端部、あるいはそのいずれか一方に排気方向に徐々に幅狭となるガイド４を設けることもできる。
【００１３】
さらに、ケース２の背面壁２ｂには、通風開口７を外方から覆うように連結フード９が固定される。連結フード９は上記下段の冷却ファン１のファンケース１ａとの間に適宜幅のバイパス風路３が形成されるように、該ファンカバーより一回り大きな筒状体で、下縁の取付片９ａにおいてケース２に固定される。ケース２には、連結フード９を固定するためのフード取り付け孔１０が設けられる。
【００１４】
また、上記連結フード９の上端部には中央部に吸気開口９ａが開設されたファン取付面９ｂが形成され、該ファン取付面９ｂに上段の冷却ファン１のファンケース１ａが固定される。上段の冷却ファン１の排気面にはフィンガーガード１ｃが固定される。ファン取付面９ｂは、下段の冷却ファン１のファンケース１ａと上段のファンケース１ａとの間にＬ＝１０ｍｍ程度、回転翼１ｂ間の間隔にしてＭ＝２０ｍｍ程度の隙間が設けられる位置に形成され、該隙間が上記バイパス風路３の一部を構成する。さらに、連結フード９の上端肩部には傾斜ガイド面９ｃが形成され、バイパス風路３の管路抵抗を低下させている。
【００１５】
したがってこの実施の形態において、上下段の冷却ファン１が正常に稼動している場合には、ケース２内の暖気はバイパス風路３と、下段の冷却ファン１の排気ルートの双方を経由してケース２外に排気される。一般に軸流ファンにおいて、吸気側の抵抗の増加による送風性能の低下は著しく、下段の冷却ファン１が故障により停止した場合には、該下段の冷却ファン１が抵抗要素となるために、性能低下、あるいは騒音増加が大きくなる。しかし、上段の冷却ファン１用に独自のバイパス風路３が用意されているこの実施の形態においては、下段（吸気側）の冷却ファン１が停止した場合には、図において矢印Ｂで示すように、バイパス風路３を経由する風路が確保されるために、性能低下、騒音増加を防止できる。
【００１６】
【実施例】
冷却ファン１を２段に積層した実施例を図３に示す。図３（ａ）において、２はケース、１１は騒音を検出するためのマイクロフォンを示す。マイクロフォン１１の先端には防風カバー１１ａが被せられ、上段の冷却ファン１のファンケース１ａとの間に間隔Ｄ＝５０ｃｍを隔てて配置される。上下段の冷却ファン１はファンケース１ａ間の間隔Ｌが１０ｍｍ、回転翼１ｂの回転面間の間隔Ｍで２０ｍｍ隔てて配置される。また、比較例としては、上記ファンケース１ａ間の間隔Ｌを０、すなわち上下段をファンケース１ａ同士を密着させて配置したものを上述したと同様の条件で試験した。
【００１７】
以下に示す実験結果は横軸に風量を、縦軸に騒音を取って示され、黒丸、および黒丸を実線で結んだ線図が本実施例の測定結果、白丸、および白丸を破線で結んだ線図が比較例の測定結果を示す。また、異なった図間の比較を容易にするように、各図において、冷却ファン１単品による測定結果を鎖線で示す。
【００１８】
図３（ａ）は上下段の冷却ファン１が正常に運転されている場合の騒音の測定結果を示すもので、２段の冷却ファン１から発生する騒音は、単品よりも高いものの、上下段間に間隔Ｌを設けた場合には密着させた場合に比して騒音レベルが低下していることが確認できた。
【００１９】
図４（ａ）は下段の冷却ファン１を停止させ、上段の冷却ファン１のみを運転させた場合を示すもので、上述したように、下段の冷却ファン１が上段の冷却ファン１の送風路に対して抵抗体として働くために、騒音レベルの上昇が見られるが、上下段間に間隔を設けた実施例においては、比較例に比して騒音増加が低減することが確認できた。
【００２０】
図４（ｂ）は上段の冷却ファン１を停止させ、下段の冷却ファン１のみを運転させた場合を示すものである。この場合、軸流ファンにおいて排気側での抵抗体の存在による性能低下は一般に低いために、騒音の増加も大きくはないが、上下段間に間隔を設けた実施例においては、比較例に比して騒音増加がやや低減することが確認できた。
【００２１】
【発明の効果】
以上の説明から明らかなように、本発明によれば、搭載スペースを小さくでき、かつ、運転時の騒音等の発生も抑えることができる。
【図面の簡単な説明】
【図１】本発明を示す図で、（ａ）は冷却ファンの積層状態を示す断面図、（ｂ）は（ａ）の１Ｂ-１Ｂ線断面図である。
【図２】記憶ユニットを示す図で、（ａ）は平面図、（ｂ）は（ａ）の２Ｂ方向矢視図、（ｃ）は（ａ）の２Ｃ方向矢視図である。
【図３】本発明の作用を示す図で、（ａ）は試験装置を示す説明図、（ｂ）は吸排気側のファンの双方を稼動させた状態における騒音を示す風量-騒音線図である。
【図４】図３の実験結果を示す図である。
【符号の説明】
１        冷却ファン
２        ケース
３        バイパス風路
４        ガイド
【図１】
0004181286.tif 000002
【図２】
0004181286.tif 000003
【図３】
0004181286.tif 000004
【図４】
0004181286.tif 000005